(57)【特許請求の範囲】
【請求項１】
遊びながら電気の基礎知識を学習するためのトランプカードであって、
前記トランプカードは、左サイド及び右サイドに、スーツのマークと該トランプカードのランクを表す数字又は記号とを組み合わせたインデックスが表示されたフェイス面と、各トランプカードに同一模様が表示されたバック面とを有し、
前記フェイス面には、前記インデックスのスーツのマークとして、電流の計量単位であるアンペアの単位記号Ａ、電圧の計量単位であるボルトの単位記号Ｖ、電力の計量単位であるワットの単位記号Ｗ、及び、電気抵抗の計量単位であるオームの単位記号Ωのいずれかが表示され、
前記インデックスのスーツのマークが同一である複数の前記トランプカードの枚数は、どのスーツでも同じであり、
前記スーツのマークが同一である複数のトランプカードの前記インデックスには、互いに異なる前記ランクが表示されており、
前記ランクは、計量単位令で定められた１０の整数乗倍を表す接頭語の異なる値の前記接頭語に対応している複数のランクと、前記接頭語に対応していない一つのランクとから成り、
前記トランプカードのフェイス面には、
前記インデックスのランクが前記接頭語に対応するトランプカードでは、前記インデックスのスーツのマークが表す計量単位に該インデックスのランクに対応する前記接頭語が付された接頭語付き計量単位に関連する情報が表示され、
前記インデックスのランクが前記接頭語に対応していないトランプカードでは、前記インデックスのスーツのマークが表す計量単位であって、前記接頭語が付されていない計量単位に関連する情報が表示されている、
トランプカード。
【発明の詳細な説明】
【技術分野】
【０００１】
本発明は、遊びながら電気の基本法則が学習できるトランプカードに関する。
【背景技術】
【０００２】
一般的なトランプカードは、良く知られているように、スペード、ハート、クラブ及びダイヤの４種類のスーツ（組）から成り、各スーツは１３枚の札で構成されている。
スーツが表示されたトランプカードの表面はフェイスと呼ばれ、同一模様が表示されたカードの裏面はバックと呼ばれる。また、カードの長辺側はサイド（左サイド、右サイド）と呼ばれ、短辺側はエンド（前エンド、後エンド）と呼ばれる。
通常のトランプカードには、フェイスの左サイドの上方及び右サイドの下方に、各カードのスーツのマークと、そのカードのランクを表す数字（２〜１０）又は記号（Ａ、Ｊ、Ｑ，Ｋ）とを組合わせたインデックスが表示され、フェイスの中央部分に、ランクが１〜１０のカードでは、ランクの数のスーツの図形が表示され、また、ランクが１１、１２、１３のカードでは、王子、王妃、王様の図形がそれぞれ表示されている。この１１、１２、１３のカードは絵札と呼ばれる。
【０００３】
本発明者は、これまで、遊びながら科学技術を学ぶトランプとして、生物分野のＤＮＡの学習ができるトランプを下記特許文献１で、また、化学分野の元素周期律の学習ができるトランプを下記特許文献２で提案している。
こうしたトランプを通じて子供から大人までがカードゲームを楽しみながら科学の基礎知識を吸収し、それにより国民全般の科学技術マインドが高まることを期待している。
【先行技術文献】
【特許文献】
【０００４】
【特許文献１】特開２０１５−０３３４０１号公報
【特許文献２】特願２０１４−２０９４６３
【発明の概要】
【発明が解決しようとする課題】
【０００５】
遊びながらの学習を目的とするゲーム用カードは、特許文献１、２記載のトランプを始めとして、種々制作されているが、物理分野の電気を対象として、その知識を遊びながら吸収できるようにするゲーム用カードは見当たらない。
【０００６】
我が国の計量単位令では、電気に関係する計量単位について、電流の計量単位をアンペア（単位記号Ａ）、電圧の計量単位をボルト（同Ｖ）、電気抵抗の計量単位をオーム（同Ω）、電力の計量単位をワット（同Ｗ）と定めている。
また、計量単位令では、これらの計量単位の直前に接頭語（接頭辞）の記号を付して、その接頭語に応じた乗数を乗じた計量単位とすることが規定されている。
日常目にする接頭語と、接頭語の記号と、接頭語が表す乗数とを以下に示す。
（接頭語）    （記号）  （接頭語が表す乗数）
ピコ          ｐ          １０-12
ナノ          ｎ          １０-9
マイクロ      μ          １０-6
ミリ          ｍ          １０-3
センチ        ｃ          １０-2
デシ          ｄ          １０-1
デカ        ｄａ          １０1
ヘクト        ｈ          １０2
キロ          ｋ          １０3
メガ          Ｍ          １０6
ギガ          Ｇ          １０9
テラ          Ｔ          １０12
【０００７】
電気の基本法則であるオームの法則は、電流（Ａ）、電圧（Ｖ）及び抵抗（Ω）の間に次の関係があることを示している。
電圧（Ｖ）＝電流（Ａ）×抵抗（Ω）
また、電力（Ｗ）、電流（Ａ）及び電圧（Ｖ）の間には次の関係があることが知られている。
電力（Ｗ）＝電流（Ａ）×電圧（Ｖ）
【０００８】
本発明は、遊びながら電気の基本を学習できるトランプカードを提供することを目的としている。
【課題を解決するための手段】
【０００９】
本発明は、遊びながら電気の基礎知識を学習するためのトランプカードであって、このトランプカードは、左サイド及び右サイドに、スーツのマークと該トランプカードのランクを表す数字又は記号とを組み合わせたインデックスが表示されたフェイス面と、各トランプカードに同一模様が表示されたバック面とを有し、フェイス面には、インデックスのスーツのマークとして、電流の計量単位であるアンペアの単位記号Ａ、電圧の計量単位であるボルトの単位記号Ｖ、電力の計量単位であるワットの単位記号Ｗ、及び、電気抵抗の計量単位であるオームの単位記号Ωのいずれかが表示され、インデックスのスーツのマークが同一である複数のトランプカードの枚数は、どのスーツでも同じであり、スーツのマークが同一である複数のトランプカードのインデックスには、互いに異なるランクが表示されており、このランクは、計量単位令で定められた１０の整数乗倍を表す接頭語の異なる値の接頭語に対応している複数のランクと、前記接頭語に対応していない一つのランクとから成り、トランプカードのフェイス面には、インデックスのランクが前記接頭語に対応するトランプカードでは、インデックスのスーツのマークが表す計量単位に該インデックスのランクに対応する接頭語が付された接頭語付き計量単位に関連する情報が表示され、インデックスのランクが前記接頭語に対応していないトランプカードでは、インデックスのスーツのマークが表す計量単位であって、接頭語が付されていない計量単位に関連する情報が表示されている。
このトランプカードは、スーツが４種類であり、通常のトランプで馴染んでいるゲームを行うこともできる。
ゲーム参加者は、カードに記載された情報を見ることで、遊びながら電気の基本を学ぶことができる。
【００１０】
また、本発明のトランプカードでは、スーツを表すマークを、スペードのマークと文字Ａとを組み合わせた図形と、ダイヤのマークと文字Ｖとを組み合わせた図形と、ハートのマークと文字Ｗとを組み合わせた図形と、クラブのマークと文字Ωとを組み合わせた図形とすることが好ましい。
スペードとＡ、ダイヤとＶ、ハートとＷ、及び、クラブとΩは、それぞれ形状に類似性があるため、組み合わせても違和感がない。
【００１２】
また、本発明のトランプカードでは、インデックスに同一のスーツのマークを表示したカードが１３枚有り、ランクを表す記号がＡのカードのフェイスには、接頭語のピコを表す表示と、このカードのスーツの計量単位に１０-12を乗じた計量単位に関連する情報とが記載され、ランクを表す数字が２のカードのフェイスには、接頭語のナノを表す表示と、このカードのスーツの計量単位に１０-9を乗じた計量単位に関連する情報とが記載され、ランクを表す数字が３のカードのフェイスには、接頭語のマイクロを表す表示と、このカードのスーツの計量単位に１０-6を乗じた計量単位に関連する情報とが記載され、ランクを表す数字が４のカードのフェイスには、接頭語のミリを表す表示と、このカードのスーツの計量単位に１０-3を乗じた計量単位に関連する情報とが記載され、ランクを表す数字が５のカードのフェイスには、接頭語のセンチを表す表示と、このカードのスーツの計量単位に１０-2を乗じた計量単位に関連する情報とが記載され、ランクを表す数字が６のカードのフェイスには、接頭語のデシを表す表示と、このカードのスーツの計量単位に１０-1を乗じた計量単位に関連する情報とが記載され、ランクを表す数字が７のカードのフェイスには、１０0を表す表示と、このカードのスーツの計量単位に関連する情報とが記載され、ランクを表す数字が８のカードのフェイスには、接頭語のデカを表す表示と、このカードのスーツの計量単位に１０を乗じた計量単位に関連する情報とが記載され、ランクを表す数字が９のカードのフェイスには、接頭語のヘクトを表す表示と、このカードのスーツの計量単位に１０2を乗じた計量単位に関連する情報とが記載され、ランクを表す数字が１０のカードのフェイスには、接頭語のキロを表す表示と、このカードのスーツの計量単位に１０3を乗じた計量単位に関連する情報とが記載され、ランクを表す記号がＪのカードのフェイスには、接頭語のメガを表す表示と、このカードのスーツの計量単位に１０6を乗じた計量単位に関連する情報とが記載され、ランクを表す記号がＱのカードのフェイスには、接頭語のギガを表す表示と、このカードのスーツの計量単位に１０9を乗じた計量単位に関連する情報とが記載され、ランクを表す記号がＫのカードのフェイスには、接頭語のテラを表す表示と、このカードのスーツの計量単位に１０12を乗じた計量単位に関連する情報とが記載されている。
このトランプカードは、スーツが４種類で各スーツが１３枚の札で構成されるため、通常のトランプと同様のゲームで遊ぶこともできる。
【００１３】
また、本発明のトランプカードでは、カードのフェイスに、ランクに応じて設定された計量単位の接頭語を表す表示を記載しても良い。
【００１４】
また、本発明のトランプカードでは、インデックスに同一のスーツのマークが表示されるカードを奇数枚で構成し、ランク順の中央位置のカードより低いランクのカードには、ランクが下がる程、接頭語の表す乗数が小さくなる計量単位の接頭語を表示し、中央位置のカードより高いランクのカードには、ランクが上がる程、接頭語の表す乗数が大きくなる計量単位の接頭語を表示し、中央位置のカードとのランク差が等しい低いランクのカード及び高いランクのカードのそれぞれに表示された接頭語が表す乗数を掛け合わせると１になるように設定することが望ましい。
ゲーム参加者は、遊びながら単位の接頭語の関係を学ぶことができる。
【発明の効果】
【００１５】
本発明のトランプカードは、電気の基本法則を採り入れたゲームや、馴染みのある通常のトランプのゲームを行うことが可能であり、子供から大人までが、こうした遊びを通じて電気の基礎知識を吸収することができる。
【図面の簡単な説明】
【００１６】
【図１】本発明の実施形態に係るトランプカードのスーツを示す図
【図２】スーツＡのランク４のカード（ａ）、スーツＶのランク８のカード（ｂ）を示す図
【図３】スーツＷのランク１０のカード（ａ）、スーツΩのランク１２のカード（ｂ）を示す図
【図４】スーツＡのランクが１〜８のカードを示す図
【図５】スーツＡのランクが９〜１３のカードを示す図
【図６】スーツＶのランクが１〜８のカードを示す図
【図７】スーツＶのランクが９〜１３のカードを示す図
【図８】スーツＷのランクが１〜８のカードを示す図
【図９】スーツＷのランクが９〜１３のカードを示す図
【図１０】スーツΩのランクが１〜８のカードを示す図
【図１１】スーツΩのランクが９〜１３のカードを示す図
【図１２】ジョーカーを示す図
【発明を実施するための形態】
【００１７】
図１は、本発明の実施形態に係るトランプカードのスーツを示している。スーツは、スペードのマークの中に電流の計量単位の単位記号Ａを配置したもの（ａ）と、ダイヤのマークの中に電圧の計量単位の単位記号Ｖを配置したもの（ｂ）と、ハートのマークの中に電力の計量単位の単位記号Ｗを配置したもの（ｃ）と、クラブのマークの中に電気抵抗の計量単位の単位記号Ωを配置したもの（ｄ）との４種類から成る。
ここでは、図１（ａ）をスーツＡ、図１（ｂ）をスーツＶ、図１（ｃ）をスーツＷ、図１（ｄ）をスーツΩと呼ぶことにする。
【００１８】
また、図２（ａ）は、スーツＡのランク４のカードのフェイスを示している。左サイドの上方及び右サイドの下方にはスーツＡとランク４とを組合わせたインデックス１０が表示されている。フェイスの下方には、ランク４に対して設定された接頭語（ミリ（ｍ））と、その接頭語が表す乗数（１０-3）との表示１１があり、フェイスの中央部分には、スーツＡが表す計量単位Ａに接頭語を付したｍＡに関する情報が次のように表示されている。
「フォトトランジスタ
フォトトランジスタに光を当てると電流が発生する。脈拍計は腕や指に当てた光が血液に吸収される割合の変化を電流で検出するが、光により数ｍＡの出力が得られる。」
【００１９】
また、図２（ｂ）は、インデックスがスーツＶとランク８との組合わせから成るカードのフェイスを示している。このカードの下方には、ランク８に対して設定された接頭語（デカ（ｄａ））と、その接頭語が表す乗数（１０1）とが表示され、フェイスの中央部分には、スーツＶが表す計量単位Ｖに接頭語を付したｄａＶに関する情報が次のように表示されている。
「自動車用鉛電池
自動車用の鉛電池は、正極に二酸化鉛、負極に鉛、電解液に希硫酸を使い２Ｖの起電力が得られる。６個直列につなぎ１２Ｖとしてスターター、ライト、イグニッション等に使用する。」
【００２０】
また、図３（ａ）は、インデックスがスーツＷとランク１０との組合わせから成るカードのフェイスを示している。このカードの下方には、ランク１０に対して設定された接頭語（キロ（ｋ））と、その接頭語が表す乗数（１０3）とが表示され、フェイスの中央部分には、スーツＷが表す計量単位Ｗに接頭語を付したｋＷに関する情報が次のように表示されている。
「電子レンジ
電子レンジはマイクロ波によって水分子を回転、振動させ、対象を直接加熱する。家庭用の消費電力は０．５〜０．６ｋＷで、業務用は３ｋＷ程度。」
【００２１】
また、図３（ｂ）は、インデックスがスーツΩとランク１２の記号Ｑとの組合わせから成るカードのフェイスを示している。このカードの下方には、ランク１２に対して設定された接頭語（ギガ（Ｇ））と、その接頭語が表す乗数（１０9）とが表示され、フェイスの中央部分には、スーツΩが表す計量単位Ωに接頭語を付したＧΩに関する情報が次のように表示されている。
「リン
マッチに使われるリンは生物にとっても必須元素で抵抗率は１ＧΩｍ。価電子を５個持っているので、４価のシリコンに加えると電子が１個余り、Ｎ型の半導体になり、広く使われている。」
【００２２】
各スーツのカードは、ランク１からランク１３までの１３枚で構成され、各ランクに対応する接頭語は次のように設定されている。
ランク１（記号Ａ）    ピコ（ｐ）    （接頭語が表す乗数：１０-12）
ランク２              ナノ（ｎ）    （接頭語が表す乗数：１０-9）
ランク３          マイクロ（μ）    （接頭語が表す乗数：１０-6）
ランク４              ミリ（ｍ）    （接頭語が表す乗数：１０-3）
ランク５            センチ（ｃ）    （接頭語が表す乗数：１０-2）
ランク６              デシ（ｄ）    （接頭語が表す乗数：１０-1）
ランク８              デカ（ｄａ）  （接頭語が表す乗数：１０1）
ランク９            ヘクト（ｈ）    （接頭語が表す乗数：１０2）
ランク１０            キロ（ｋ）    （接頭語が表す乗数：１０3）
ランク１１（記号Ｊ）  メガ（Ｍ）    （接頭語が表す乗数：１０6）
ランク１２（記号Ｑ）  ギガ（Ｇ）    （接頭語が表す乗数：１０9）
ランク１３（記号Ｋ）  テラ（Ｔ）    （接頭語が表す乗数：１０12）
なお、ランク順位の中央に位置するランク７には接頭語を設定せずに、乗数として１０0（＝１）を設定している。
【００２３】
ここでは、ランク７より低いランク（１〜６）に対して、ランクが下がる程、接頭語の表す乗数が小さい計量単位の接頭語を設定し、ランク７より高いランク（８〜１３）に対して、ランクが上がる程、接頭語の表す乗数が大きい計量単位の接頭語を設定している。また、ランク７とのランク差が等しい低いランク及び高いランク（例えば、ランク７とのランク差が３のランク４及びランク１０）には、それらに設定した接頭語が表す乗数（１０-3と１０3）を掛け合わせると1になるように、各ランクの接頭語を設定している。
【００２４】
カードのフェイスの中央部分には、そのカードのスーツが表す計量単位に対して、そのカードの接頭語を付した計量単位に関する情報が表示されている。例えば、ランクが４のカードの場合、スーツＡのカードではｍＡに関する情報が表示され、スーツＶのカードではｍＶに関する情報が表示され、スーツＷのカードではｍＷに関する情報が表示され、スーツΩのカードではｍΩに関する情報が表示される。
なお、ランクが７のカードには、スーツＡのカードに計量単位Ａに関する情報が、スーツＶのカードに計量単位Ｖに関する情報が、スーツＷのカードに計量単位Ｗに関する情報が、また、スーツΩのカードに計量単位Ωに関する情報が、それぞれ表示される。
【００２５】
図４には、スーツＡのランク１から８までのカードを示し、図５には、スーツＡのランク９から１３までのカードを示している。
図６には、スーツＶのランク１から８までのカードを示し、図７には、スーツＶのランク９から１３までのカードを示している。
図８には、スーツＷのランク１から８までのカードを示し、図９には、スーツＷのランク９から１３までのカードを示している。
また、図１０には、スーツΩのランク１から８までのカードを示し、図１１には、スーツΩのランク９から１３までのカードを示している。また、図１２にはジョーカーを示している。
【００２６】
このトランプカードは、スーツの種類が４種類で各スーツを付したカードの枚数が１３枚であり、通常のトランプと変わりがない。そのため、通常のトランプと同様のゲームが可能である。
また、このトランプカードは、電気の基本法則を採り入れた次のようなゲームで楽しむこともできる。
【００２７】
（遊び方１）
普通のトランプの大富豪のルールと基本的に同じである。
（１）カードを参加者全員に均等に配り、親が手札から選んだ1枚を場に出す。
（２）親の隣の参加者から順に、場に出された最新のカードよりも強いカードを手札から選んで場に出し、或いはパスを選択する。パスは何回でもできる。戦略的にパスしてもよい。
（３）全員がパスした場合は、最後にカードを出した人が次の親となり、場にあるカードを流して手札から選んだ1枚を場に出し、（２）に移行する。
こうして、手札を使い切ると上がりとなる。早く上がった人の順に高い順位が付く。
カードの強さは、通常の大富豪と異なり、カードのランク順に次のように設定する。ジョーカーは最強とする。
ジョーカー＞Ｋ＞Ｑ＞・・・＞４＞３＞２＞Ａ
【００２８】
また、オームの法則に則り、スーツＶ及びスーツΩの二枚は、（スーツＶのランク／スーツΩのランク）の値にランクが等しいスーツＡのカードとして場に出すことができる。例えば、場のカードのランクが３のとき、「１２ボルト÷３オーム、４アンペア」のように、数字と単位を読み上げながら二枚のカードを場に出す。
同様に、スーツＶ及びスーツＡの二枚を、（スーツＶのランク／スーツＡのランク）の値にランクが等しいスーツΩのカードとして場に出すことができる。例えば、場のカードのランクが３のとき、「１２ボルト÷３アンペア、４オーム」のように、数字と単位を読み上げながら二枚のカードを場に出す。
また、スーツＡ及びスーツΩの二枚を、（スーツＡのランク×スーツΩのランク）の値にランクが等しいスーツＶのカードとして場に出すことができる。例えば、場のカードのランクが１３のとき、「４アンペア×５オーム、２０ボルト」のように、数字と単位を読み上げながら二枚のカードを場に出す。
また、電力の公式に則り、スーツＶ及びスーツＡの二枚を、（スーツＶのランク×スーツＡのランク）の値にランクが等しいスーツＷのカードとして場に出すことができる。例えば、場のカードのランクが１３のとき、「１２ボルト×３アンペア、３６ワット」のように、数字と単位を読み上げながら二枚のカードを場に出す。
最初の親はじゃんけんで決める。
親が最初に場に出すカードは１枚に限られる。
２枚のカードを最後に出して上がることはできない。
参加者が最強カードのジョーカーを場に出すと、その参加者が次の親になり、場にあるカードを流して手札から選んだ1枚を場に出す。
また、参加者の慣れに応じてローカルルールを適宜設定し、ゲームを楽しむこともできる。
【００２９】
（遊び方２）
オームの法則（Ｖ＝Ａ×Ω）や電力の式（Ｗ＝Ｖ×Ａ）を満たすカードの組合せを集めることを競う。ジョーカーは使用しない。
（１）各自に４枚のカードを配り、場に３枚のカードを置き、残りのカードは積札とする。
（２）最初のプレーヤは手札４枚と場札３枚を組み合せて、次の（数１）又は（数２）の関係を満たす３枚のカードの組合せを見つける。
（数１）  （スーツＶのレベル）＝（スーツＡのレベル）×（スーツΩのレベル）
（数２）  （スーツＷのレベル）＝（スーツＶのレベル）×（スーツＡのレベル）
このとき、（数１）の「（スーツＡのレベル）×（スーツΩのレベル）」の値、及び、（数２）の「（スーツＶのレベル）×（スーツＡのレベル）」の値は、その積が１３を超える二ケタの数値であるとき、十の位の数字で表される値と見做し、また、その積が１４０未満の３ケタの数値であるとき、百の位の数字と十の位の数字で表される２ケタの値と見做すこととする。その積が１４０以上のときは無効とする。
（数１）又は（数２）の関係を満たす３枚のカードの組合せが一組または二組見つかった場合、見つけた組合せの全てを取札として自分の前に置き、場札が３枚になるように、また手札が４枚になるよう積札から補充する。そして、プレーの権利が隣の人に移る。
【００３０】
（３）組み合わせが出来ない場合は、場札と手札の１枚を交換するか、パスをする。パスは何回もできる。そして、プレーの権利が隣の人に移る。
（４）プレーの権利を得たプレーヤは同様のプレーを行うが、全員がパスをした場合は、最初にパスをした人が場札を流し、積札から３枚場に置き（２）の手順を行う。
（５）積札がなくなれば、ゲームは終了とする。
（６）取札の多い順で、勝ちの順を決める。
このように、このトランプカードは、種々の遊び方が可能である。
【００３１】
また、神経衰弱と同様に、７を除くカードの全てを裏向きに場に並べて、プレーヤが二枚のカードをめくり、めくったカードに記載された接頭語の表す乗数を掛け合わせた値が１になるときは、その二枚をプレーヤの取り分として更に二枚のカードをめくることを続け、掛け合わせた値が１にならないときは、めくったカードを裏向きにして次のプレーヤに移る遊びも可能である。取り分の多い人が勝ちになる。
【００３２】
なお、ここでは、スペードのマークの中に電流の計量単位の単位記号Ａを配置したものをスーツＡとし、ダイヤのマークの中に電圧の計量単位の単位記号Ｖを配置したものをスーツＶとし、ハートのマークの中に電力の計量単位の単位記号Ｗを配置したものをスーツＷとし、また、クラブのマークの中に電気抵抗の計量単位の単位記号Ωを配置したものをスーツΩとした。スペードとＡ、ダイヤとＶ、ハートとＷ、クラブとΩ、は、それぞれ形状に類似性があるため、組み合わせても違和感を生じないが、本発明で用いるスーツは、それに限るものではない。
また、ここでは、カードのランクを１〜１３としたが、本発明は、それだけに限定されない。
また、計量単位の接頭語には、ここで示したもの以外に、ヨタ（１０24）、ゼタ（１０21）、エクサ（１０18）、ぺタ（１０15）、フェムト（１０-15）、アト（１０-18）、ゼプト（１０-21）、ヨクト(１０-24)等が存在しており、計量単位によっては、これらを使う方が良い場合もある。
【産業上の利用可能性】
【００３３】
本発明のトランプカードは、子供から大人までがゲームを楽しみながら電気の基礎知識を学ぶために使用することが可能であり、国民全般の科学技術マインドを高めるために広く用いることができる。
【符号の説明】
【００３４】
１０  インデックス
１１  接頭語とそれが表す乗数
【図１】
0006564316.tif 000002
【図２】
0006564316.tif 000003
【図３】
0006564316.tif 000004
【図４】
0006564316.tif 000005
【図５】
0006564316.tif 000006
【図６】
0006564316.tif 000007
【図７】
0006564316.tif 000008
【図８】
0006564316.tif 000009
【図９】
0006564316.tif 000010
【図１０】
0006564316.tif 000011
【図１１】
0006564316.tif 000012
【図１２】
0006564316.tif 000013